(57)【要約】【課題】カメラのシャッタ羽根、絞り羽根、ＮＤフィルタ羽根等を駆動する電磁アクチュエータの構造を簡略化し、小型のカメラ用羽根駆動装置を提供する。【解決手段】露光用の開口部を有する基板１０，２０、基板上の支軸１０ｂ周りに回動自在に支持され開口部１０ａから退避した位置と開口部１０ａに臨む位置とに移動させられるＮＤフィルタ羽根３０、ＮＤフィルタ羽根３０を駆動する電磁アクチュエータ４０を備え、この電磁アクチュエータ４０を、基板に連結される枠部材４１，駆動力を及ぼす駆動ピン４２ｂを有しかつ一端部が枠部材に他端部が基板にそれぞれ支持されて所定の角度範囲を回動するロータ４２，枠部材及び基板に巻回された励磁用のコイル４３とにより構成する。これにより、構造の簡略化、低コスト化を行なえ、装置を小型化、薄型化できる。【選択図】  図１
2005091656.tif 000002
【特許請求の範囲】
【請求項１】
露光用の開口部を有する基板と、前記基板上の支軸周りに回動自在に支持され前記開口部から退避した位置と前記開口部に臨む位置とに移動させられる羽根部材と、前記羽根部材を駆動する電磁アクチュエータと、を備え、
前記電磁アクチュエータは、前記基板に連結される枠部材と、前記羽根部材に駆動力を及ぼす駆動ピンを有しかつ一端部が前記枠部材に他端部が前記基板にそれぞれ支持されて所定の角度範囲を回動するロータと、前記枠部材及び基板に巻回された励磁用のコイルと、を含み、
前記羽根部材は、前記開口部を開閉するシャッタ羽根、前記開口部を所定の口径に絞る絞り羽根、又は、前記開口部を覆って光量を減少させるＮＤフィルタ羽根である、
ことを特徴とするカメラ用羽根駆動装置。
【請求項２】
前記電磁アクチュエータは、前記ロータと略同軸にて前記コイルの外側に設けられたヨーク、を含む、
ことを特徴とする請求項１記載のカメラ用羽根駆動装置。
【請求項３】
前記基板には、二つの前記電磁アクチュエータ、前記シャッタ羽根及び絞り羽根が設けられ、
前記二つの電磁アクチュエータの一方は、前記シャッタ羽根を駆動するように形成され、
前記二つの電磁アクチュエータの他方は、前記絞り羽根を駆動するように形成されている、
ことを特徴とする請求項１又は２に記載のカメラ用羽根駆動装置。
【請求項４】
前記基板には、二つの前記電磁アクチュエータ、前記シャッタ羽根及びＮＤフィルタ羽根が設けられ、
前記二つの電磁アクチュエータの一方は、前記シャッタ羽根を駆動するように形成され、
前記二つの電磁アクチュエータの他方は、前記ＮＤフィルタ羽根を駆動するように形成されている、
ことを特徴とする請求項１又は２に記載のカメラ用羽根駆動装置。
【請求項５】
前記基板には、二つの前記電磁アクチュエータ、口径の異なる二つの絞り羽根が設けられ、
前記二つの電磁アクチュエータの一方は、前記二つの絞り羽根の一方を駆動するように形成され、
前記二つの電磁アクチュエータの他方は、前記二つの絞り羽根の他方を駆動するように形成されている、
ことを特徴とする請求項１又は２に記載のカメラ用羽根駆動装置。
【請求項６】
前記基板には、二つの前記電磁アクチュエータ、濃度の異なる二つのＮＤフィルタ羽根が設けられ、
前記二つの電磁アクチュエータの一方は、前記二つのＮＤフィルタ羽根の一方を駆動するように形成され、
前記二つの電磁アクチュエータの他方は、前記二つのＮＤフィルタ羽根の他方を駆動するように形成されている、
ことを特徴とする請求項１又は２に記載のカメラ用羽根駆動装置。
【請求項７】
前記基板には、二つの前記電磁アクチュエータ、前記絞り羽根及びＮＤフィルタ羽根が設けられ、
前記二つの電磁アクチュエータの一方は、前記絞り羽根を駆動するように形成され、
前記二つの電磁アクチュエータの他方は、前記ＮＤフィルタ羽根を駆動するように形成されている、
ことを特徴とする請求項１又は２に記載のカメラ用羽根駆動装置。
【請求項８】
前記ＮＤフィルタ羽根は、所定の口径をなす開口を画定する一対の羽根と、前記一対の羽根に挟まれて接合されたＮＤフィルタと、を含む、
ことを特徴とする請求項１，２，４，６，７いずれかに記載のカメラ用羽根駆動装置。
【請求項９】
前記ＮＤフィルタ羽根は、所定の口径をなす開口を画定する羽根と、前記羽根の一方側の面に接合されたＮＤフィルタと、を含む、
ことを特徴とする請求項１，２，４，６，７いずれかに記載のカメラ用羽根駆動装置。
【請求項１０】
前記ＮＤフィルタ羽根は、前記羽根に接合された前記ＮＤフィルタの反対側の面が、前記基板に設けられたガイドレールで支持されるように、形成されている、
ことを特徴とする請求項９記載のカメラ用羽根駆動装置。
【発明の詳細な説明】
【技術分野】
【０００１】
本発明は、カメラ等に搭載されて露光用の開口部を開閉する羽根あるいは通過する光量を減少させる羽根を電磁アクチュエータで駆動するカメラ用羽根駆動装置に関し、特に、羽根を駆動するロータを含む電磁アクチュエータを備えたカメラ用羽根駆動装置に関する。
【背景技術】
【０００２】
従来のカメラ用羽根駆動装置としては、例えば、お互いに連結されてロータを回動自在に支持する上側の枠部材及び下側の枠部材，上側の枠部材及び下側の枠部材に巻回された励磁用のコイル，上側の枠部材に取り付けられた円筒状のヨーク等により形成された電磁アクチュエータを、露光用の開口部を有する基板に対してネジ等により連結し、シャッタ羽根あるいは絞り羽根を駆動するものが知られている（特許文献１、特許文献２参照）。
【特許文献１】特開２００２−５５３７６号公報
【特許文献２】特開平７−２３４４３４号公報
【発明の開示】
【発明が解決しようとする課題】
【０００３】
ところで、上記従来の装置では、電磁アクチュエータが予めユニット化され、別個に用意された基板に対してネジ等により連結される構成となっている。したがって、製造に際しては、電磁アクチュエータだけを予め組立てる組立工程、組立が完了した電磁アクチュエータを基板に組付ける組付工程を必要とするため、製造工程が複雑化し、又、電磁アクチュエータを予めユニット化するが故に構成部品が増加して、高コスト化、構造の複雑化、大型化を招いていた。
【０００４】
本発明は、上記従来技術の問題点に鑑みて成されたものであり、その目的とするところは、構成部品を極力削減して、製造工程の簡略化、構造の簡略化等が図れる電磁アクチュエータを採用し、特に小型のデジタルカメラ等において、シャッタ羽根、絞り羽根、あるいはＮＤフィルタ羽根等を電磁アクチュエータで駆動するカメラ用羽根駆動装置を提供することにある。
【課題を解決するための手段】
【０００５】
本発明のカメラ用羽根駆動装置は、露光用の開口部を有する基板と、基板上の支軸周りに回動自在に支持され開口部から退避した位置と開口部に臨む位置とに移動させられる羽根部材と、羽根部材を駆動する電磁アクチュエータとを備え、この電磁アクチュエータは、基板に連結される枠部材と，羽根部材に駆動力を及ぼす駆動ピンを有しかつ一端部が枠部材に他端部が基板にそれぞれ支持されて所定の角度範囲を回動するロータと，枠部材及び基板に巻回された励磁用のコイルと，を含み、羽根部材は、開口部を開閉するシャッタ羽根，開口部を所定の口径に絞る絞り羽根，又は，開口部を覆って光量を減少させるＮＤフィルタ羽根である、ことを特徴としている。
【０００６】
この構成によれば、ロータは枠部材と基板とで回動自在に支持され、コイルは枠部材と基板とに巻回される構成故に、種々の部品を基板に組付ける工程において電磁アクチュエータも同時に組立てることができる。すなわち、従来に比べて枠部材が一つで済み、又、ロータを回動自在に挟持した状態で、コイルが枠部材及び基板の周りに巻回されているため、従来のようなネジ等の締結部品が不要になる。これにより、部品点数を削減でき、構造の簡略化、低コスト化を行なえ、又、電磁アクチュエータの構造が簡略化されて背丈を低くでき、装置を小型化、薄型化できる。
また、このような電磁アクチュエータにより、シャッタ羽根、絞り羽根、又はＮＤフィルタ羽根が駆動されて、開口部の開閉、開口部を通過する光量の調整等が行なわれる。
【０００７】
上記構成において、電磁アクチュエータは、ロータと略同軸にてコイルの外側に設けられたヨークを含む、構成を採用することができる。
この構成によれば、コイルの周りに形成される磁力線が、ヨークにより導かれて、より強力な電磁力を得ることができる。
【０００８】
上記構成において、基板には、二つの電磁アクチュエータ、シャッタ羽根及び絞り羽根が設けられ、二つの電磁アクチュエータの一方はシャッタ羽根を駆動するように形成され、二つの電磁アクチュエータの他方は絞り羽根を駆動するように形成されている、構成を採用することができる。
この構成によれば、一つの装置において、開口部を開閉するカメラ用シャッタ装置と、開口部を所定の口径に絞るカメラ用絞り装置とを、両立させることができる。したがって、この装置が搭載されるカメラ等の小型化を達成できる。
【０００９】
上記構成において、基板には、二つの電磁アクチュエータ、シャッタ羽根及びＮＤフィルタ羽根が設けられ、二つの電磁アクチュエータの一方はシャッタ羽根を駆動するように形成され、二つの電磁アクチュエータの他方はＮＤフィルタ羽根を駆動するように形成されている、構成を採用することができる。
この構成によれば、一つの装置において、開口部を開閉するカメラ用シャッタ装置と、開口部を通過する光量を減少させるカメラ用光量調整装置とを、両立させることができる。したがって、この装置が搭載されるカメラ等の小型化を達成できる。
【００１０】
上記構成において、基板には、二つの電磁アクチュエータ、口径の異なる二つの絞り羽根が設けられ、二つの電磁アクチュエータの一方は二つの絞り羽根の一方を駆動するように形成され、二つの電磁アクチュエータの他方は二つの絞り羽根の他方を駆動するように形成されている、構成を採用することができる。
この構成によれば、一つの装置において、開口部を二種類の口径に絞る二段絞りが可能なカメラ用絞り装置を形成することができる。
【００１１】
上記構成において、基板には、二つの電磁アクチュエータ、濃度の異なる二つのＮＤフィルタ羽根が設けられ、二つの電磁アクチュエータの一方は二つのＮＤフィルタ羽根の一方を駆動するように形成され、二つの電磁アクチュエータの他方は二つのＮＤフィルタ羽根の他方を駆動するように形成されている、構成を採用することができる。
この構成によれば、一つの装置において、開口部を通過する光量を二段階に減少させることが可能なカメラ用光量調整装置を形成することができる。
【００１２】
上記構成において、基板には、二つの電磁アクチュエータ、絞り羽根及びＮＤフィルタ羽根が設けられ、二つの電磁アクチュエータの一方は絞り羽根を駆動するように形成され、二つの電磁アクチュエータの他方はＮＤフィルタ羽根を駆動するように形成されている、構成を採用することができる。
この構成によれば、一つの装置において、開口部を所定の口径に絞るカメラ用絞り装置と、開口部を通過する光量を減少させるカメラ用光量調整装置とを、両立させることができる。したがって、この装置が搭載されるカメラ等の小型化を達成できる。
【００１３】
上記構成において、ＮＤフィルタ羽根は、所定の口径をなす開口を画定する一対の羽根と、一対の羽根に挟まれて接合されたＮＤフィルタと、を含む構成を採用することができる。
この構成によれば、ＮＤフィルタが一対の羽根に挟まれた積層構造をなすため、機械的強度が高くなり、又、ＮＤフィルタに傷が付くのを防止でき、さらに、打ち抜き型等を共用でき製造コスト等を低減できる。
【００１４】
上記構成において、ＮＤフィルタ羽根は、所定の口径をなす開口を画定する羽根と、羽根の一方側の面に接合されたＮＤフィルタと、を含む構成を採用することができる。
この構成によれば、積層構造のＮＤフィルタ羽根に比べて、薄型化、軽量化、さらには装置を薄型化することができる。
【００１５】
上記構成において、ＮＤフィルタ羽根は、羽根に接合されたＮＤフィルタの反対側の面が基板に設けられたガイドレールで支持されるように、形成されている、構成を採用することができる。
この構成によれば、ＮＤフィルタ羽根は、ガイドレールに案内されて開口部に臨む位置と開口部から退避した位置とを円滑に移動することができる。
【発明の効果】
【００１６】
上記のように、本発明のカメラ用羽根駆動装置によれば、基板上の支軸周りに回動自在に支持され開口部から退避した位置と開口部に臨む位置とに移動させられるシャッタ羽根、絞り羽根、あるいはＮＤフィルタ羽根等の羽根部材を駆動する電磁アクチュエータとして、基板に連結される枠部材，羽根部材に駆動力を及ぼす駆動ピンを有しかつ一端部が枠部材に他端部が基板にそれぞれ支持されて所定の角度範囲を回動するロータ，枠部材及び基板に巻回された励磁用のコイルを含む構成を採用することにより、種々の部品を基板に組付ける工程において電磁アクチュエータも同時に組立てることができ、従来に比べて枠部材が一つで済み、従来のようなネジ等の締結部品が不要になる。これにより、部品点数を削減でき、構造の簡略化、低コスト化を行なえ、又、電磁アクチュエータの構造が簡略化されて背丈を低くでき、シャッタ羽根、絞り羽根、又はＮＤフィルタ羽根を駆動することができる、小型で、薄型のカメラ用羽根駆動装置を提供することができる。
【発明を実施するための最良の形態】
【００１７】
以下、本発明の最良の実施形態について、添付図面を参照しつつ説明する。図１ないし図５は、本発明に係るカメラ用羽根駆動装置の一実施形態としてカメラ用光量調整装置を示すものであり、図１は装置の分解斜視図、図２は装置の断面図、図３は羽根部材の分解斜視図、図４は羽根部材が開口部から退避した位置にある状態を示す平面図、図５は羽根部材が開口部に臨む位置にある状態を示す平面図である。
【００１８】
この装置は、図１及び図２に示すように、露光用の開口部１０ａ，２０ａを有する基板としての地板１０及び裏板２０、地板１０上の支軸１０ｂ周りに回動自在に支持され開口部１０ａ，２０ａに臨む位置と開口部１０ａ，２０ａから退避した位置とを移動する羽根部材としてのＮＤフィルタ羽根３０、ＮＤフィルタ羽根３０を駆動する電磁アクチュエータ４０等を備えている。
【００１９】
地板１０は、図１、図２、図４、図５に示すように、略円板状に形成され、その輪郭の一部には、開口部１０ａに対して径方向外側に突出する平板状の突出部１１が一体的に形成され、突出部１１の内側領域には、略扇状の貫通孔１０ｃが形成されている。突出部１１及びその近傍には、図２、図４、図５に示すように、後述するロータ４２の他端部４２ｄを支持する軸受孔１２、その周りに環状凸部１３、環状凸部１３の周りに平坦な接合面１４、接合面１４に開口する２つの嵌合孔１５、後述するコイル４３を巻回する巻回溝１６が形成されている。
裏板２０は、図１及び図２に示すように、開口部２０ａ、支軸１０ｂを通す円孔２０ｂ、後述する駆動ピン４２ｂを通す長孔２０ｃ等を有し、地板１０に対して所定の間隔をおいて連結されて、ＮＤフィルタ羽根３０を収容する羽根室Ｗを画定している。
【００２０】
ＮＤフィルタ羽根３０は、図１及び図３に示すように、プラスチックもしくは金属材料により形成された一対の羽根３１の間にフィルム状のＮＤフィルタ３２を挟み、接着、溶着、カシメ等の手法を用いて一体的に接合したものであり、露光用の開口部１０ａよりも小さい口径をもつ開口３０ａ、支軸１０ｂを通す円孔３０ｂ、駆動ピン４２ｂを通す長孔３０ｃを有する。尚、開口３０ａの口径は、開口部１０ａよりも大きく形成されていてもよい。
【００２１】
一対の羽根３１は、図３に示すように、開口３０ａを画定する開口３１ａ、円孔３０ｂを画定する円孔３１ｂ、長孔３０ｃを画定する長孔３１ｃを有する。ＮＤフィルタ３２は、図３に示すように、一対の羽根３１と同一の外輪郭に形成され、円孔３０ｂを画定する円孔３２ｂ、長孔３０ｃを画定する長孔３２ｃ有する。ＮＤフィルタ３２は、殆んど色の変化を生じることなく光量を減少させる光学濃度フィルタである。尚、ＮＤとは、ｎｅｕｔｒａｌ
ｄｅｎｓｉｔｙを略したものである。
【００２２】
そして、ＮＤフィルタ羽根３０は、図４に示すように、円孔３０ｂに支軸１０ｂが挿入され、長孔３０ｃに駆動ピン４２ｂが挿入され、支軸１０ｂ周りに回動自在に支持されており、駆動ピン４２ｂが所定の範囲を往復動することにより、図４に示すように開口部１０ａから退避した位置と、図５に示すように開口部１０ａに臨む位置とを移動するようになっている。
また、上記のように、ＮＤフィルタ羽根３０は、同一の輪郭をなす一対の羽根３１及びＮＤフィルタ３２の積層構造をなすため、機械的強度が高くなり、又、ＮＤフィルタ３２に傷が付くのを防止でき、さらに、打ち抜き型等を共用でき製造コスト等を低減できる。
【００２３】
電磁アクチュエータ４０は、図１、図２、図４、図５に示すように、地板１０に連結される枠部材４１、Ｎ極及びＳ極に着磁された磁石部４２ａ及び駆動ピン４２ｂを有するロータ４２、励磁用のコイル４３、ロータ４２と同軸に配置された円筒状のヨーク４４、鉄ピン４５等により形成されている。尚、ヨーク４４は、コイル４３の外側において、枠部材４１に取り付けられて磁路を形成するものであり、鉄ピン４５は、ロータ４２との間で磁気的吸引力を生じさせるものである。
【００２４】
枠部材４１は、図２、図４、図５に示すように、ロータ４２の一端部４２ｃを支持する軸受孔４１ａ、コイル４３を巻回する巻回溝４１ｂ、地板１０の接合面１４に接合される接合面４１ｃ、接合面４１ｃから突出して形成された２つの嵌合ピン４１ｄ、環状凸部１３に嵌合される嵌合孔４１ｅ、鉄ピン４５を取り付ける凹部４１ｆ等により形成されている。
【００２５】
そして、枠部材４１の組付けに際しては、ロータ４２の他端部４２ｄを突出部１１の軸受孔１２に挿入し、ロータ４２の一端部４２ｃを枠部材４１の軸受孔４１ａに挿入してロータ４２を回動自在に支持すると共に、嵌合ピン４１ｄを嵌合孔１５にかつ環状凸部１３を嵌合孔４１ｅに嵌合するようにして、枠部材４１を地板１０の突出部１１に連結する。このとき、嵌合ピン４１ｄと嵌合孔１５との関係及び環状凸部１３と嵌合孔４１ｅとの関係は、若干締まり嵌めの状態となっているため、枠部材４１は突出部１１に対して位置決めされつつ堅固に連結される。
続いて、突出部１１の巻回溝１６及び枠部材４１の巻回溝４１ｂにコイル４３が巻回されて、枠部材４１が突出部１１に対して堅固に締結される。この連結状態において、ロータ４２は、所定の角度範囲すなわち駆動ピン４２ｂが扇状の貫通孔１０ｃで規制される範囲において、回動自在となっている。
【００２６】
上記のように、ロータ４２は、枠部材４１と地板１０（突出部１１）とで回動自在に支持され、コイル４３は、枠部材４１と地板１０（突出部１１）とに巻回されているため、種々の部品を地板１０に組付ける工程において電磁アクチュエータ４０も同時に組立てることができる。
すなわち、従来に比べて枠部材が一つで済み、又、枠部材４１を嵌合により地板１０に連結しかつコイル４３により締付けているため、従来のようなネジ等の締結部品が不要になり、部品点数を削減でき、構造の簡略化、低コスト化を行なえ、又、電磁アクチュエータ４０の構造が簡略化されて背丈を低くでき、装置を小型化（薄型化）できる。
【００２７】
また、ロータ４２（駆動ピン４２ｂ）が回動する角度範囲（扇状の貫通孔１０ｃ）の中心は、図４に示すように、開口部１０ａの中心を通り径方向に伸長する直線Ｌ上に略位置するように形成されている。したがって、ロータ４２は、この直線Ｌを境に左右に略等しい角度だけ回動し得るようになっている。
さらに、コイル４３は、図４及び図５に示すように、枠部材４１が地板１０の突出部１１に連結された状態で、直線Ｌと略垂直な方向において上下方向からロータ４２の一端部４２ｃ及び他端部４２ｄを取り囲むように、巻回溝４１ｂ，１６内において巻回され、枠部材４１を地板１０に対して締付けた状態となっている。
このように、ロータ４２は、回動する角度範囲の中心が開口部１０ａの中心を通り径方向に伸長する直線Ｌ上に略位置するように配置され、コイル４３は、直線Ｌに対して略垂直な方向に巻回されているため、ロータ４２が回動し得る角度範囲を大きく設定することができる。
【００２８】
次に、この装置がデジタルカメラ等に搭載された場合の動作について簡単に説明する。先ず、コイル４３が非通電の状態で、図４に示すように、ロータ４２は反時計回りの回転端に位置して、鉄ピン４５等の磁気的付勢力（ロータ４２との間に生じる吸引力）により保持されている。このとき、ＮＤフィルタ羽根３０は、開口部１０ａ，２０ａを開放した退避位置にある。
この待機状態において、撮影者がレリーズ動作を行なうと、光量が自動的に測定され、光量を減少させる必要があると判断されると、コイル４３が通電されて、図５に示すように、ロータ４２が回転してＮＤフィルタ羽根３０が開口部１０ａ，２０ａに臨む位置に移動して、開口部１０ａ，２０ａを通過する光量を所定レベルに減少させる。この後、ＣＣＤの電子シャッタが作動して、画像が撮影され、撮影された撮影画像は種々の処理が施されて記憶部に取り込まれ、撮影が完了する。その後、逆向きの通電によりロータ４２が逆向きに回転して、ＮＤフィルタ羽根３０は、開口部１０ａ，２０ａから退避した位置に戻り保持される。
【００２９】
尚、上記の実施形態においては、電磁アクチュエータ４０として、磁路を形成するヨーク４４を設けた場合を示したが、有効に作用する磁力線が十分である場合には、図６に示すように、前述の電磁アクチュエータ４０からヨーク４４を省いた電磁アクチュエータ４００を採用してもよい。
【００３０】
図７及び図８は、本発明に係るカメラ用羽根駆動装置の他の実施形態としてのカメラ用光量調整装置を示すものである。この実施形態においては、ＮＤフィルタ羽根３０´及び裏板２０´を変更した以外は、前述の図１ないし図５に示す実施形態と同一の構成であるため、同一の構成については同一の符号を付してその説明を省略する。
【００３１】
この装置において、ＮＤフィルタ羽根３０´は、図７及び図８に示すように、プラスチックもしくは金属材料により形成された一つの羽根３１´の裏面にフィルム状のＮＤフィルタ３２´を接着、溶着、カシメ等の手法を用いて接合したものであり、露光用の開口部１０ａよりも小さい口径をもつ開口３０ａ´、支軸１０ｂを通す円孔３０ｂ´、駆動ピン４２ｂを通す長孔３０ｃ´を有する。
【００３２】
羽根３１´は、図８に示すように、開口３０ａ´を画定する開口３１ａ´、円孔３０ｂ´を画定する円孔３１ｂ´、長孔３０ｃ´を画定する長孔３１ｃ´を有する。ＮＤフィルタ３２´は、少なくとも開口３１ａ´を覆う大きさに形成されて、羽根３１´の裏面に貼付されている。
裏板２０´は、図７に示すように、地板１０の開口部１０ａに対応する露光用の開口部分及びＮＤフィルタ３２´の逃げ部分を画定する湾曲した長孔形状をなす開口部２０ａ´、支軸１０ｂを通す円孔２０ｂ´、駆動ピン４２ｂを通す長孔２０ｃ´等を有し、ＮＤフィルタ羽根３００´を羽根室Ｗに配置した後に、ネジ等により地板１０の背面に締結される。
【００３３】
このように、ＮＤフィルタ羽根３０´は、一枚の羽根３１´と開口３０ａ´（３１ａ´）を覆う領域にのみ貼付されたＮＤフィルタ３２´とにより形成されるため、前述のＮＤフィルタ羽根３０に比べて薄型化、軽量化される。
また、裏板２０´に対してＮＤフィルタ３２´の逃げ部分をも画定する開口部２０ａ´を形成したことにより、地板１０に対してＮＤフィルタ羽根３０´及び裏板２０´を組付ける際に、お互いをより接近させて組付けることができるため、装置全体をより薄型化できる。尚、この装置の動作については、前述の実施形態と同一であるため、説明を省略する。
【００３４】
また、前述同様の電磁アクチュエータ４０が採用されているため、装置全体のコストを低減することができ、又、電磁アクチュエータ４０の交換作業等を行なう場合にも、従来に比べて構成部品が少ないことから、作業を簡単にかつ容易に行なうことができる。
尚、この実施形態においても、電磁アクチュエータ４０に替えて、図６に示すようなヨーク４４を省いた電磁アクチュエータ４００を採用してもよい。
【００３５】
図９及び図１０は、本発明に係るカメラ用羽根駆動装置のさらに他の実施形態としてのカメラ用光量調整装置を示すものである。この実施形態においては、ＮＤフィルタ羽根３０´´及び地板１０´を変更した以外は、前述の図１ないし図５に示す実施形態と同一の構成であるため、同一の構成については同一の符号を付してその説明を省略する。
【００３６】
この装置において、ＮＤフィルタ羽根３０´´は、図９及び図１０に示すように、プラスチックもしくは金属材料により形成された一つの羽根３１´´の一方側の面にフィルム状のＮＤフィルタ３２´´を接着、溶着、カシメ等の手法を用いて接合したものであり、露光用の開口部１０ａよりも小さい口径をもつ開口３０ａ´´、支軸１０ｂを通す円孔３０ｂ´´、駆動ピン４２ｂを通す長孔３０ｃ´´を有する。
【００３７】
羽根３１´´は、図１０に示すように、開口３０ａ´´を画定する開口３１ａ´´、円孔３０ｂ´´を画定する円孔３１ｂ´´、長孔３０ｃ´´を画定する長孔３１ｃ´´を有する。ＮＤフィルタ３２´´は、羽根３１´´と同一の輪郭に形成され、円孔３０ｂ´´を画定する円孔３２ｂ´´、長孔３０ｃ´´を画定する長孔３２ｃ´´を有する。
【００３８】
地板１０´は、図９に示すように、開口部１０ａを挟むように円弧状に内側に突出して形成された二つのガイドレール１０ｄを有する。そして、ＮＤフィルタ羽根３０´´が支軸１０ｂにより回動自在に支持された状態で、ＮＤフィルタ３２´´の外側の面（羽根３１´´に接合された反対側の面）がガイドレール１０ｄに支持されるようになっている。
これにより、ＮＤフィルタ羽根３０´´は、ガイドレール１０ｄに案内されて、開口部１０ａに臨む位置と開口部１０ａから退避した位置とを円滑に移動することができる。尚、この装置の動作については、前述の実施形態と同一であるため、説明を省略する。
【００３９】
この実施形態においても、前述同様の電磁アクチュエータ４０が採用されているため、装置全体のコストを低減することができ、又、電磁アクチュエータ４０の交換作業等を行なう場合にも、従来に比べて構成部品が少ないことから、作業を簡単にかつ容易に行なうことができる。
尚、この実施形態においても、電磁アクチュエータ４０に替えて、図６に示すようなヨーク４４を省いた電磁アクチュエータ４００を採用してもよい。
【００４０】
図１１ないし図１４は、本発明に係るカメラ用羽根駆動装置のさらに他の実施形態を示すものであり、図１１は装置の分解斜視図、図１２は装置の断面図、図１３は羽根部材が開口部から退避した位置にある状態を示す平面図、図１４は羽根部材が開口部に臨む位置にある状態を示す平面図である。
【００４１】
この装置は、図１１及び図１２に示すように、露光用の開口部１００ａ，２００ａを有する基板としての地板１００及び裏板２００、地板１００上の支軸１００ｂ周りに回動自在に支持され開口部１００ａ，２００ａに臨む位置と開口部１００ａ，２００ａから退避した位置とを移動する羽根部材としてのシャッタ羽根３００及び絞り羽根３１０、シャッタ羽根３００を駆動する電磁アクチュエータ４０、絞り羽根３１０を駆動する電磁アクチュエータ４０´等を備えている。尚、電磁アクチュエータ４０´は、電磁アクチュエータ４０と同一の構成をなすものである。
【００４２】
地板１００は、図１１ないし図１４に示すように、略円板状に形成され、その輪郭の一部には、開口部１００ａに対して径方向両外側に突出する平板状の２つの突出部１０１が一体的に形成され、各々の突出部１０１の内側領域には、略扇状の貫通孔１００ｃが形成されている。
各々の突出部１０１及びその近傍には、図１１ないし図１４に示すように、ロータ４２の他端部４２ｄを支持する軸受孔１０２、その周りに環状凸部１０３、環状凸部１０３の周りに平坦な接合面１０４、接合面１０４に開口する２つの嵌合孔１０５、コイル４３を巻回する巻回溝１０６が形成されている。
裏板２００は、図１１及び図１２に示すように、開口部２００ａ、支軸１００ｂを通す円孔２００ｂ、駆動ピン４２ｂを通す長孔２００ｃ等を有し、地板１００に対して所定の間隔をおいて連結されて、シャッタ羽根３００及び絞り羽根３１０を収容する羽根室Ｗを画定している。
【００４３】
シャッタ羽根３００は、図１１、図１３、図１４に示すように、円孔３００ｂ、長孔３００ｃを有し、円孔３００ｂに支軸１００ｂが挿入され、長孔３００ｃに電磁アクチュエータ４０の駆動ピン４２ｂが挿入されて、支軸１００ｂ周りに回動自在に支持されており、駆動ピン４２ｂが所定の範囲を往復動することにより、図１３に示すように開口部１０ａから退避した位置（開放位置）と、図１４に示すように開口部１０ａに臨む位置（閉鎖位置）とを移動するようになっている。
【００４４】
絞り羽根３１０は、図１１、図１３、図１４に示すように、所定の口径をなす絞り開口３１０ａ、円孔３１０ｂ、長孔３１０ｃを有し、円孔３１０ｂに支軸１００ｂが挿入され、長孔３１０ｃに電磁アクチュエータ４０´の駆動ピン４２ｂが挿入されて、支軸１００ｂ周りに回動自在に支持されており、駆動ピン４２ｂが所定の範囲を往復動することにより、図１３に示すように開口部１０ａから退避した位置（非絞り位置）と、図１４に示すように開口部１０ａに臨む位置（絞り位置）とを移動するようになっている。
【００４５】
すなわち、電磁アクチュエータ４０が、シャッタ羽根３００を駆動して開口部１０ａを開閉し、又、電磁アクチュエータ４０´が、絞り羽根３１０を駆動して開口部１０ａを所定の口径に絞るようになっている。これによれば、一つの装置において、開口部１０ａを開閉するカメラ用シャッタ装置と、開口部１０ａを所定の口径に絞るカメラ用絞り装置とを両立させることができ、この装置が搭載されるカメラ等の小型化を達成できる。尚、シャッタ羽根３００及び絞り羽根３１０の動作は、一般的に使用される開閉動作及び絞り動作であり、ここでの説明は省略する。
【００４６】
この実施形態においても、前述同様の電磁アクチュエータ４０，４０´が採用されているため、装置全体のコストを低減することができ、又、電磁アクチュエータ４０，４０´の交換作業等を行なう場合にも、従来に比べて構成部品が少ないことから、作業を簡単にかつ容易に行なうことができる。
尚、この実施形態においても、電磁アクチュエータ４０，４０´に替えて、図６に示すようなヨーク４４を省いた電磁アクチュエータ４００を採用してもよい。
【００４７】
図１５は、本発明に係るカメラ用羽根駆動装置のさらに他の実施形態を示すものである。この実施形態においては、絞り羽根３１０に替えて図１に示すＮＤフィルタ羽根３０を採用した以外は、前述の図１１ないし図１４に示す実施形態と同一の構成であるため、同一の構成については同一の符号を付してその説明を省略する。
【００４８】
この装置においては、電磁アクチュエータ４０が、シャッタ羽根３００を駆動して開口部１０ａを開閉し、又、電磁アクチュエータ４０´が、ＮＤフィルタ羽根３０を駆動して開口部１０ａを通過する光量を調整するようになっている。これによれば、一つの装置において、開口部１０ａを開閉するカメラ用シャッタ装置と、開口部１０ａを通過する光量を調整するカメラ用光量調整装置とを両立させることができ、この装置が搭載されるカメラ等の小型化を達成できる。尚、シャッタ羽根３００及びＮＤフィルタ羽根３０の動作は、一般的に使用される開閉動作及び絞り動作であり、ここでの説明は省略する。
【００４９】
この実施形態においても、前述同様の電磁アクチュエータ４０，４０´が採用されているため、装置全体のコストを低減することができ、又、電磁アクチュエータ４０，４０´の交換作業等を行なう場合にも、従来に比べて構成部品が少ないことから、作業を簡単にかつ容易に行なうことができる。
尚、この実施形態においても、電磁アクチュエータ４０，４０´に替えて、図６に示すようなヨーク４４を省いた電磁アクチュエータ４００を採用してもよい。
【００５０】
図１６は、本発明に係るカメラ用羽根駆動装置のさらに他の実施形態を示すものである。この実施形態においては、絞り羽根３１０に替えて図７に示すＮＤフィルタ羽根３０´を採用し、裏板２００´を一部変更した以外は、前述の図１１ないし図１４に示す実施形態と同一の構成であるため、同一の構成については同一の符号を付してその説明を省略する。
【００５１】
この装置において、裏板２００´は、図１６に示すように、地板１００の開口部１００ａに対応する露光用の開口部分及びＮＤフィルタ３２´の逃げ部分を画定する湾曲した長孔形状をなす開口部２００ａ´、支軸１００ｂを通す円孔２００ｂ、駆動ピン４２ｂを通す長孔２００ｃ等を有する。
【００５２】
すなわち、電磁アクチュエータ４０が、シャッタ羽根３００を駆動して開口部１０ａを開閉し、又、電磁アクチュエータ４０´が、ＮＤフィルタ羽根３０´を駆動して開口部１０ａを通過する光量を調整するようになっている。これによれば、一つの装置において、開口部１０ａを開閉するカメラ用シャッタ装置と、開口部１０ａを通過する光量を調整するカメラ用光量調整装置とを両立させることができ、この装置が搭載されるカメラ等の小型化を達成できる。尚、シャッタ羽根３００及びＮＤフィルタ羽根３０´の動作は、一般的に使用される開閉動作及び絞り動作であり、ここでの説明は省略する。
【００５３】
この実施形態においても、前述同様の電磁アクチュエータ４０，４０´が採用されているため、装置全体のコストを低減することができ、又、電磁アクチュエータ４０，４０´の交換作業等を行なう場合にも、従来に比べて構成部品が少ないことから、作業を簡単にかつ容易に行なうことができる。
尚、この実施形態においても、電磁アクチュエータ４０，４０´に替えて、図６に示すようなヨーク４４を省いた電磁アクチュエータ４００を採用してもよい。
【００５４】
図１７は、本発明に係るカメラ用羽根駆動装置のさらに他の実施形態を示すものである。この実施形態においては、絞り羽根３１０に替えて図９に示すＮＤフィルタ羽根３０´´を採用し、地板１００´を一部変更した以外は、前述の図１１ないし図１４に示す実施形態と同一の構成であるため、同一の構成については同一の符号を付してその説明を省略する。
【００５５】
この装置において、地板１００´は、図１７に示すように、開口部１００ａを挟むように円弧状に内側に突出して形成された二つのガイドレール１００ｄを有する。そして、ＮＤフィルタ羽根３０´´が支軸１００ｂにより回動自在に支持された状態で、ＮＤフィルタ３２´´の外側の面（羽根３１´´に接合された反対側の面）が、ガイドレール１００ｄに摺動自在に支持されるようになっている。これにより、ＮＤフィルタ羽根３０´´は、ガイドレール１００ｄに案内されて、開口部１００ａに臨む位置と開口部１００ａから退避した位置とを、円滑に移動することができる。
【００５６】
すなわち、電磁アクチュエータ４０が、シャッタ羽根３００を駆動して開口部１０ａを開閉し、又、電磁アクチュエータ４０´が、ＮＤフィルタ羽根３０´´を駆動して開口部１０ａを通過する光量を調整するようになっている。これによれば、一つの装置において、開口部１０ａを開閉するカメラ用シャッタ装置と、開口部１０ａを通過する光量を調整するカメラ用光量調整装置とを両立させることができ、この装置が搭載されるカメラ等の小型化を達成できる。尚、シャッタ羽根３００及びＮＤフィルタ羽根３０´´の動作は、一般的に使用される開閉動作及び絞り動作であり、ここでの説明は省略する。
【００５７】
この実施形態においても、前述同様の電磁アクチュエータ４０，４０´が採用されているため、装置全体のコストを低減することができ、又、電磁アクチュエータ４０，４０´の交換作業等を行なう場合にも、従来に比べて構成部品が少ないことから、作業を簡単にかつ容易に行なうことができる。
尚、この実施形態においても、電磁アクチュエータ４０，４０´に替えて、図６に示すようなヨーク４４を省いた電磁アクチュエータ４００を採用してもよい。
【００５８】
上記実施形態においては、輪郭が略円板状に形成された基板（地板）１０，１０´，１００，１００´に突出部１１，１０１を設け、この突出部１１，１０１に枠部材４１を連結する構成を採用したが、基板を円板状ではなく略矩形あるいはその他の形状をなす輪郭に形成しかつその一部が突出部を画定するように形成し、この突出部に対して枠部材４１を連結する構成を採用してもよい。
【００５９】
また、上記実施形態においては、同一の構成をなす二つの電磁アクチュエータ４０，４０´を設け、一方の電磁アクチュエータ４０がシャッタ羽根３００を駆動し、他方の電磁アクチュエータ４０´が絞り羽根３１０あるいはＮＤフィルタ羽根３０，３０´３０´´を駆動する構成を示したが、これに限定されるものではなく、口径の異なる二つの絞り羽根を採用し、一方の電磁アクチュエータ４０が一方の絞り羽根を駆動し、他方の電磁アクチュエータ４０´が他方の絞り羽根を駆動する構成を採用してもよく、あるいは、濃度の異なる二つのＮＤフィルタ羽根を採用し、一方の電磁アクチュエータ４０が一方のＮＤフィルタ羽根を駆動し、他方の電磁アクチュエータ４０´が他方のＮＤフィルタ羽根を駆動する構成を採用してもよく、さらには、絞り羽根３１０及びＮＤフィルタ羽根３０，３０´，３０´´を採用し、一方の電磁アクチュエータ４０が絞り羽根３１０を駆動し、他方の電磁アクチュエータ４０´がＮＤフィルタ羽根３０，３０´，３０´´を駆動する構成を採用してもよい。
【産業上の利用可能性】
【００６０】
以上述べたように、本発明のカメラ用羽根駆動装置は、携帯電話機、携帯型パーソナルコンピュータ、ＰＤＡ等の携帯情報端末機に搭載されるデジタルカメラ、あるいは、その他の機器に搭載されるデジタルカメラ、さらには、その他のデジタルカメラ（デジタルスチルカメラ、デジタルビデオカメラ）、銀塩フィルム式カメラ等において、使用することができる。
【図面の簡単な説明】
【００６１】
【図１】本発明に係るカメラ用羽根駆動装置の一実施形態を示す分解斜視図である。
【図２】図１に示す装置の断面図である。
【図３】図１に示す装置の一部をなす羽根部材としてのＮＤフィルタ羽根を示す分解斜視図である。
【図４】図１に示す装置において、ＮＤフィルタ羽根が開口部から退避した位置にある状態を示す平面図である。
【図５】図１に示す装置において、ＮＤフィルタ羽根が開口部に臨む位置にある状態を示す平面図である。
【図６】電磁アクチュエータの他の実施形態を示す平面図である。
【図７】本発明に係るカメラ用羽根駆動装置の他の実施形態を示す分解斜視図である。
【図８】図７に示す装置の一部をなす羽根部材としてのＮＤフィルタ羽根を示す分解斜視図である。
【図９】本発明に係るカメラ用羽根駆動装置のさらに他の実施形態を示す分解斜視図である。
【図１０】図９に示す装置の一部をなす羽根部材としてのＮＤフィルタ羽根を示す分解斜視図である。
【図１１】本発明に係るカメラ用羽根駆動装置のさらに他の実施形態を示す分解斜視図である。
【図１２】図１１に示す装置の断面図である。
【図１３】図１１に示す装置において、シャッタ羽根及び絞り羽根が開口部から退避した位置にある状態を示す平面図である。
【図１４】図１１に示す装置において、シャッタ羽根及び絞り羽根がが開口部に臨む位置にある状態を示す平面図である。
【図１５】本発明に係るカメラ用羽根駆動装置のさらに他の実施形態を示す分解斜視図である。
【図１６】本発明に係るカメラ用羽根駆動装置のさらに他の実施形態を示す分解斜視図である。
【図１７】本発明に係るカメラ用羽根駆動装置のさらに他の実施形態を示す分解斜視図である。
【符号の説明】
【００６２】
１０，１０´，１００，１００´  地板（基板）
１０ａ，１００ａ  開口部
１０ｂ，１００ｂ  支軸
１１  １０１  突出部
１６，１０６  巻回溝
２０，２０´，２００，２００´  裏板（基板）
２０ａ，２０ａ´，２００ａ，２００ａ´  開口部
３０，３０´，３０´´  ＮＤフィルタ羽根
３０ａ，３０ａ´，３０ａ´´  開口
３１，３１´，３１´´  羽根
３１ａ，３１ａ´，３１ａ´´  開口
３２，３２´，３２´´  ＮＤフィルタ
４０，４０´，４００  電磁アクチュエータ
４１  枠部材
４１ｂ  巻回溝
４２  ロータ
４２ｂ  駆動ピン
４３  コイル
４５  鉄ピン
４４  ヨーク
３００  シャッタ羽根
３１０  絞り羽根
３１０ａ  絞り開口
【図１】
2005091656.tif 000003
【図２】
2005091656.tif 000004
【図３】
2005091656.tif 000005
【図４】
2005091656.tif 000006
【図５】
2005091656.tif 000007
【図６】
2005091656.tif 000008
【図７】
2005091656.tif 000009
【図８】
2005091656.tif 000010
【図９】
2005091656.tif 000011
【図１０】
2005091656.tif 000012
【図１１】
2005091656.tif 000013
【図１２】
2005091656.tif 000014
【図１３】
2005091656.tif 000015
【図１４】
2005091656.tif 000016
【図１５】
2005091656.tif 000017
【図１６】
2005091656.tif 000018
【図１７】
2005091656.tif 000019